(57)【要約】医療用潤滑剤は、基油を有し得る。医療用潤滑剤は、手術装置に使用できる。【選択図】図１
2021523273.tif 000002
【特許請求の範囲】
【請求項１】
潤滑剤用の製剤であって、前記製剤は、
式Ｉ
2021523273.tif 000019
の化合物を有する基油であって、
式中、Ｒ１は、Ｈ、Ｃ１−Ｃ６アルキル、Ｃ１−Ｃ６アルケニル、または、Ｃ１−Ｃ６アルキニルであり、前記Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換されるものであり；Ｒ２は、Ｃ１０−Ｃ２５アルキル、Ｃ１０−Ｃ２５アルケニル、または、Ｃ１０−Ｃ２５アルキニルであり、前記Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７、またはその塩で任意に置換される、基油と、
リン脂質、またはその塩と、
式
2021523273.tif 000020
の塩であって、
式中、Ｍ１は、二価カチオンであり、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルであり、前記Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換されるものであり、
各Ｒ３、Ｒ７およびＲ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、前記Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される、塩と、
を有する製剤。
【請求項２】
請求項１記載の製剤またはその塩において、前記Ｒ１は、Ｈである、製剤またはその塩。
【請求項３】
請求項１記載の製剤またはその塩において、前記Ｒ１は、Ｃ１−Ｃ６アルキルであり、前記Ｃ１−Ｃ６アルキルの各水素原子は、独立して、ハロ、ヒドロキシ、アミノ、オキソ、またはＯＲ３で任意に置換される、製剤またはその塩。
【請求項４】
請求項１記載の製剤において、前記Ｒ１は、式ＩＩＩ
2021523273.tif 000021
またはその塩であり、式中、各Ｒ１４およびＲ１５は、独立して、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、または、Ｃ１０−Ｃ２５アルキニルであり、前記Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、または、アミノで任意に置換され、
＊は、付着点を示す、製剤。
【請求項５】
請求項１記載の製剤またはその塩において、前記Ｒ７は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニルであり、前記Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニルの各水素原子は、独立して、ハロ、ヒドロキシ、または、アミノで任意に置換される、請求項１記載の製剤またはその塩。
【請求項６】
請求項１記載の製剤において、前記基油が、少なくとも４５０°Ｆ、少なくとも４７５°Ｆ、少なくとも４９０°Ｆ、少なくとも５００°Ｆ、または少なくとも５１０°Ｆの発煙点を有する、製剤。
【請求項７】
請求項１記載の製剤において、少なくとも前記基油が前記製剤の少なくとも４０重量％である、製剤。
【請求項８】
請求項１記載の製剤において、前記式Ｉの化合物は、前記基油の少なくとも２０重量％である、製剤。
【請求項９】
請求項１記載の製剤において、リン脂質が式ＩＩの構造、またはその塩を有し、
【化１４】
2021523273.tif 000022
式中、各Ｒ４およびＲ５は、独立して、Ｃ１０−Ｃ２５アルキル、Ｃ１０−Ｃ２５アルケニル、または、Ｃ１０−Ｃ２５アルキニルであり、前記Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、オキソ、またはＯＲ６で任意に置換されるものであり、
Ｒ６は、Ｈ、Ｃ１−Ｃ６アルキル、Ｃ１−Ｃ６アルケニル、または、Ｃ１−Ｃ６アルキニルであり、前記Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される、
製剤。
【請求項１０】
請求項１記載の製剤において、リン脂質またはその塩が、前記製剤の少なくとも２重量％である、製剤。
【請求項１１】
請求項１の製剤において、式ＩＩの塩がステアリン酸カルシウムである、製剤。
【請求項１２】
請求項１記載の製剤であって、前記製剤は、さらに式Ｖ
2021523273.tif 000023
の化合物を有し、
式中、各Ｒ１１、Ｒ１２およびＲ１３は、独立して、Ｃ１０−Ｃ２５アルキル、Ｃ１０−Ｃ２５アルケニル、または、Ｃ１０−Ｃ２５アルキニルであり、前記Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、オキソ、またはＯＲ１４で任意に置換されるものであり、
Ｒ１４は、Ｈ、Ｃ１−Ｃ６アルキル、Ｃ１−Ｃ６アルケニル、または、Ｃ１−Ｃ６アルキニルであり、前記Ｃ１−Ｃ６アルキル、Ｃ１−Ｃ６アルケニル、および、Ｃ１−Ｃ６アルキニルの各水素原子は、独立して、ハロ、ヒドロキシ、または、アミノ、長鎖アルコール、飽和脂肪酸、それらの混合物、またはその塩で任意に置換される、
製剤。
【請求項１３】
電気焼灼装置を請求項１記載の製剤でコーティングする方法であって、前記方法は、電気焼灼装置の表面を請求項１記載の製剤と接触させる工程を有する、方法。
【請求項１４】
請求項１２記載の製剤を調製するための方法であって、前記方法は、
基油を加熱する工程と、
前記基油と式Ｖの化合物を混合する工程と、
前記基油とリン脂質を混合する工程と、
を有する、方法。
【請求項１５】
請求項１４記載の方法において、前記加熱する工程は、前記基油を約１２０°Ｆ〜約２２５°Ｆの温度に加熱する工程を有する、方法。
【請求項１６】
請求項１４記載の方法において、前記基油と式Ｖの化合物を混合する工程は、前記基油とリン脂質を混合する工程の前に行われる、方法。
【請求項１７】
請求項１記載の潤滑剤用の製剤と、
焼灼プローブと、
を有する、キット。
【請求項１８】
焼灼の方法であって、前記方法は、
請求項１記載の潤滑剤用の製剤を焼灼プローブに適用する工程と、
前記焼灼プローブで組織を焼灼する工程と、
を有する、方法。
【請求項１９】
請求項１８記載の製剤において、前記トリグリセリドは式Ｖ
2021523273.tif 000024
の化合物またはその塩を有し、
式中、各Ｒ１１、Ｒ１２およびＲ１３は、独立して、Ｃ１０−Ｃ２５アルキル、Ｃ１０−Ｃ２５アルケニル、または、Ｃ１０−Ｃ２５アルキニルであり、前記Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、オキソ、またはＯＲ１４で任意に置換されるものであり、
Ｒ１４は、Ｈ、Ｃ１−Ｃ６アルキル、Ｃ１−Ｃ６アルケニル、または、Ｃ１−Ｃ６アルキニルであり、前記Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される、
製剤。
【請求項２０】
請求項１９記載の製剤において、前記基油は植物油である、製剤。
【発明の詳細な説明】
【技術分野】
【０００１】
本出願は、２０１８年５月７日に出願された「ＭＥＤＩＣＡＬ  ＬＵＢＲＩＣＡＮＴ」と題する米国仮特許出願第６２／６６７，７７８号の優先権の利益を主張する、２０１９年４月１９日に出願された米国出願第１６／３８９，６９４号の優先権の利益を主張し、その開示は、参照によりその全体が本明細書に組み込まれる。
【背景技術】
【０００２】
外科的プロセスは、組織を切断および／または焼灼するために焼灼プローブをしばしば使用する。焼灼プローブの例は、チップと呼ばれることもある電気焼灼プローブであり、これは通常、焦げを減らすために電気焼灼プローブを使用する前および使用中ずっと潤滑剤でコーティングされている。炭化を最小限に抑え、プローブの性能を維持するための改善された潤滑剤が望まれている。
【０００３】
いくつかの潤滑剤は、細胞脂質二重層または石鹸の成分と性質が類似している、疎水性の尾部および親水性の頭部を含むレシチンを含む。この配置により、分子の半分が水性細胞環境に埋め込まれ、疎水性の頭部が露出したままになり、手術器具の表面に結合せず、したがって組織が器具に付着するのを防ぐ。このメカニズムは効果的ですが、熱感度によって制限される。ただし、レシチンは比較的熱に敏感な化合物である可能性があり、非粘着性を保持しない残留物に分解する可能性がある。このように、レシチンは電気焼灼の本質的な熱プロセスの過程で分解し得る。さらに、残留物がプローブ上に蓄積する可能性があるため、プローブから組織へのエネルギーの伝達がますます非効率的になり、燃焼時間が長くなる可能性がある。さらに、焦げた残留物は容易に除去できない可能性があるため、新しい潤滑剤をさらに追加しても、残留物が蓄積し始めると性能が向上しない場合がある。改善された潤滑剤は、外科的プロセスを助ける可能性がある。
【発明の概要】
【０００４】
医療用潤滑剤は、基油を含み得る。医療用潤滑剤は、手術装置に使用できる。
【０００５】
潤滑剤用の製剤は、式Ｉ：
【化１】
2021523273.tif 000003
の化合物を有する基油を含む。式Ｉにおいて、Ｒ１は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換されるものであり；Ｒ２は、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７、またはその塩で任意に置換される。製剤は、さらにリン脂質、またはその塩、および、式Ｍ１（Ｒ８）（Ｒ９）（ＩＩ）の塩を含み得る。Ｍ１は、二価カチオンであり得、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換される。各Ｒ３、Ｒ７およびＲ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される。
【０００６】
電気焼灼装置をコーティングする方法は、電気焼灼装置の表面を製剤と接触させる工程を含む。製剤は、式Ｉ：
【化２】
2021523273.tif 000004
の化合物を有する基油を含む。式Ｉにおいて、Ｒ１は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換されるものであり；Ｒ２は、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７、またはその塩で任意に置換される。製剤は、さらにリン脂質、またはその塩、および、式Ｍ１（Ｒ８）（Ｒ９）（ＩＩ）の塩を含み得る。Ｍ１は、二価カチオンであり得、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換される。各Ｒ３、Ｒ７およびＲ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される。
【０００７】
製剤を調製する方法は開示される。製剤は、式Ｉ：
【化３】
2021523273.tif 000005
の化合物を有する基油を含む。式Ｉにおいて、Ｒ１は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換されるものであり；Ｒ２は、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７、またはその塩で任意に置換される。製剤は、さらにリン脂質、またはその塩、および、式Ｍ１（Ｒ８）（Ｒ９）（ＩＩ）の塩を含み得る。Ｍ１は、二価カチオンであり得、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換される。各Ｒ３、Ｒ７およびＲ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される。製剤は、式Ｖ：
【化４】
2021523273.tif 000006
の化合物をさらに含む。
【０００８】
式Ｖにおいて、各Ｒ１１、Ｒ１２およびＲ１３は、独立して、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１４で任意に置換される。Ｒ１４は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、または、Ｃ１−Ｃ６アルキニルの各水素原子は、独立して、ハロ、ヒドロキシ、または、アミノ、長鎖アルコール、飽和脂肪酸、それらの混合物、またはそれらの塩で任意に置換される。この方法は、基油を式Ｖの化合物と混合する工程と、および、基油をリン脂質と混合する工程とを含む。
【０００９】
キットは、式Ｉ：
【化５】
2021523273.tif 000007
の化合物を有する基油を含む潤滑剤の製剤を含む。式Ｉにおいて、Ｒ１は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換されるものであり；Ｒ２は、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７、またはその塩で任意に置換される。製剤は、さらにリン脂質、またはその塩、および、式Ｍ１（Ｒ８）（Ｒ９）（ＩＩ）の塩を含み得る。Ｍ１は、二価カチオンであり得、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換される。各Ｒ３、Ｒ７およびＲ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される。キットにはさらに焼灼プローブが含まれる。
【００１０】
焼灼の方法は、製剤を焼灼プローブに適用する工程、および組織を焼灼プローブで焼灼する工程を含む。製剤は、式Ｉ：
【化６】
2021523273.tif 000008
の化合物を有する基油を含む。
【００１１】
式Ｉにおいて、Ｒ１は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換されるものであり；Ｒ２は、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７、またはその塩で任意に置換される。製剤は、さらにリン脂質、またはその塩、および、式Ｍ１（Ｒ８）（Ｒ９）（ＩＩ）の塩を含み得る。Ｍ１は、二価カチオンであり得、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換される。各Ｒ３、Ｒ７およびＲ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される。キットにはさらに焼灼プローブが含まれる。
【図面の簡単な説明】
【００１２】
【図１】図１は、図１は、実施例に記載された異なる潤滑剤を使用して達成された火傷の数を示している。
【図２】図２Ａ〜２Ｆは、電気焼灼プローブを用いた本開示による潤滑剤を使用した実験からの画像を示す。図２Ａは、比較潤滑剤および本開示による潤滑剤でコーティングされたプローブから残された組織上の火傷を示している。図２Ｂは、新しいチップへの本開示による潤滑剤の代表的な用途を示している。図２Ｃは、比較潤滑剤からの組織付着の代表的なサンプルを示している。図２Ｄは、本開示による潤滑剤からの組織付着の代表的なサンプルを示している。図２Ｅは、本開示による潤滑剤を使用した火傷の特徴的な例を示している。そして、図２Ｆは、本開示による、枯渇した潤滑剤でコーティングされた使用済みプローブの代表的な例を示している。
【発明を実施するための形態】
【００１３】
本明細書で使用される場合、「アルキル」という用語は、任意に分岐し、１〜２０個の炭素原子を含む炭素原子の鎖を含む。特定の実施形態において、アルキルは、Ｃ１−Ｃ２０、Ｃ１０−Ｃ２０、Ｃ１−Ｃ１２、Ｃ１−Ｃ１０、Ｃ１−Ｃ９、Ｃ１−Ｃ８、Ｃ１−Ｃ７、Ｃ１−Ｃ６、および、Ｃ１−Ｃ４を含む、限定された長さであることが有利であり得ることをさらに理解されたい。例示的に、Ｃ１−Ｃ８、Ｃ１−Ｃ７、Ｃ１−Ｃ６、および、Ｃ１−Ｃ４などを含むそのような特に限定された長さのアルキル基は、「低級アルキル」と呼ばれ得る。いくつかの実施形態において、アルキルは、Ｃ６−Ｃ１０、Ｃ１１−Ｃ１６、Ｃ１６−Ｃ２０、および、Ｃ６−Ｃ２０であり得る。例示的なアルキル基には、メチル、エチル、ｎ−プロピル、イソプロピル、ｎ−ブチル、イソブチル、ｓｅｃ−ブチル、ｔｅｒｔ−ブチル、ペンチル、２−ペンチル、３−ペンチル、ネオペンチル、ヘキシル、ヘプチル、オクチル、ノニル、デシルなどが含まれるが、これに限定されない。アルキルは置換または非置換であり得る。典型的な置換基には、シクロアルキル、アリール、ヘテロアリール、ヘテロ脂環式、ヒドロキシ、アルコキシ、アリールオキシ、メルカプト、アルキルチオ、アリールチオ、シアノ、ハロ、カルボニル、オキソ、（＝Ｏ）、チオカルボニル、Ｏ−カルバミル、Ｎ−カルバミル、Ｏ−チオカルバミル、Ｎ−チオカルバミル、Ｃ−アミド、Ｎ−アミド、Ｃ−カルボキシ、Ｏ−カルボキシ、ニトロ、およびアミノが含まれる、または、本明細書で提供される様々な実施形態に記載されている通りである。「アルキル」は、上記で提供されたものなどの他の基と組み合わせて、官能化アルキルを形成し得ることが理解されよう。 例として、本明細書に記載の「アルキル」基と「カルボキシ」基との組み合わせは、「カルボキシアルキル」基と呼ばれ得る。他の非限定的な例には、ヒドロキシアルキル、アミノアルキルなどが含まれる。
【００１４】
本明細書で使用される場合、「アルキレン」という用語は、二価のアルキル基を指し、ここで、アルキルは以前に定義された通りである。例示的なアルキレン基には、−ＣＨ２−、−（ＣＨ２）２−および−Ｃ（ＣＨ３）ＨＣＨ２−が含まれる。
【００１５】
本明細書で使用される場合、「アルケニル」という用語は、任意に分岐し、２〜２０個の炭素原子を含み、少なくとも１つの炭素−炭素二重結合（すなわち、Ｃ＝Ｃ）も含む炭素原子の鎖を含む。特定の実施形態において、アルケニルは、Ｃ２−Ｃ２０、Ｃ１０−Ｃ２０、Ｃ２−Ｃ１２、Ｃ２−Ｃ９、Ｃ２−Ｃ８、Ｃ２−Ｃ７、Ｃ２−Ｃ６、および、Ｃ２−Ｃ４を含む、限定された長さであることが有利であり得ることが理解される。実例として、Ｃ２−Ｃ８、Ｃ２−Ｃ７、Ｃ２−Ｃ６、および、Ｃ２−Ｃ４を含むそのような特に限定された長さのアルケニル基は、低級アルケニルと呼ばれ得る。いくつかの実施形態において、アルケニルは、Ｃ６−Ｃ１０、Ｃ１１−Ｃ１６、Ｃ６−Ｃ２０、および、Ｃ６−Ｃ２０であり得る。アルケニルは、アルキルについて記載されているように、または本明細書で提供される様々な実施形態に記載されているように、非置換または置換され得る。 例示的なアルケニル基には、エテニル、１−プロペニル、２−プロペニル、１−、２−、または３−ブテニルなどが含まれるが、これらに限定されない。
【００１６】
本明細書で使用される場合、「アルケニレン」という用語は、二価の−アルケニル−基を指し、ここで、アルケニルは以前に定義された通りである。例示的なアルケニレン基には、−ＣＨ＝ＣＨ−、−ＣＨ＝ＣＨＣＨ２−、および、−ＣＨ２ＣＨ＝ＣＨ−が含まれる。
【００１７】
本明細書で使用される場合、「アルキニル」という用語は、任意に分岐し、２〜２０個の炭素原子を含み、少なくとも１つの炭素−炭素二重結合（すなわち、Ｃ≡Ｃ）も含む炭素原子の鎖を含む。特定の実施形態において、アルキニルは、Ｃ２−Ｃ２０、Ｃ１０−Ｃ２０、Ｃ２−Ｃ１２、Ｃ２−Ｃ９、Ｃ２−Ｃ８、Ｃ２−Ｃ７、Ｃ２−Ｃ６、および、Ｃ２−Ｃ４を含む、限定された長さであることが有利であり得ることが理解される。実例として、Ｃ２−Ｃ８、Ｃ２−Ｃ７、Ｃ２−Ｃ６、および、Ｃ２−Ｃ４を含むそのような特に限定された長さのアルキニル基は、低級アルキニルと呼ばれ得る。いくつかの実施形態において、アルキニルは、Ｃ６−Ｃ１０、Ｃ１１−Ｃ１６、Ｃ１６−Ｃ２０、および、Ｃ６−Ｃ２０であり得る。アルケニルは、アルキルについて記載されているように、または本明細書で提供される様々な実施形態に記載されているように、非置換または置換され得る。例示的なアルキニル基には、エチニル、１−プロピニル、２−プロピニル、１−、２−、または３−ブチニルなどが含まれるが、これらに限定されない。
【００１８】
本明細書で使用される場合、「アルキニレン」という用語は、二価のアルキニル基を指し、ここで、アルキニルは、以前に定義された通りである。例示的なアルキニレン基には、エチニルおよびプロパルギルが含まれる。
【００１９】
本明細書で使用される場合、「アリール」という用語は、完全に共役したパイ電子系を有する６〜１２個の炭素原子の全炭素単環式または縮合環多環式基を指す。特定の実施形態において、アリールは、Ｃ６−Ｃ１０アリールなどの限定されたサイズであることが有利であり得ることが理解されるであろう。例示的なアリール基には、フェニル、ナフタレニル、およびアントラセニルが含まれるが、これらに限定されない。アリール基は、アルキルについて記載されているように、または本明細書で提供される様々な実施形態に記載されているように、非置換または置換され得る。
【００２０】
本明細書で使用される場合、「アリーレン」という用語は、アリールが以前に定義された通りである二価のアリール基を指す。例示的なアリーレン基には、−フェニレン−および−ナフタレニレン−が含まれる。
【００２１】
本明細書で使用される場合、「シクロアルキル」という用語は、３〜１５員の全炭素単環式環、全炭素５員／６員または６員／６員の縮合二環式環、または、環の１つ以上が１つ以上の二重結合を含んでいてもよいが、シクロアルキルが完全に共役パイ電子系を含んでいない多環式縮合環基（「縮合」環系とは、系内の各環が、系内の他の環と隣接する炭素原子のペアを共有することを意味する）を指す。特定の実施形態において、シクロアルキルは、Ｃ３−Ｃ１３、Ｃ３−Ｃ６、Ｃ３−Ｃ６およびＣ４−Ｃ６などの限定されたサイズであることが有利であり得ることが理解されるであろう。シクロアルキルは、アルキルについて記載されているように、または本明細書で提供される様々な実施形態に記載されているように、非置換または置換され得る。例示的なシクロアルキル基には、シクロプロピル、シクロブチル、シクロペンチル、シクロペンテニル、シクロペンタジエニル、シクロヘキシル、シクロヘキセニル、シクロヘプチル、アダマンチル、ノルボルニル、ノルボルネニル、９Ｈ−フルオレン−９−イルなどが含まれるが、これらに限定されない。
【００２２】
本明細書で使用される場合、「シクロアルキル」という用語は、シクロアルキルが以前に定義された通りである二価のシクロアルキル基を指す。例示的なシクロアルキレン基には、−シクロヘキシレン−および−シクロペンチレン−が含まれる。
【００２３】
本発明によれば、「ヘテロアルキル」という用語は、炭素および少なくとも１つのヘテロ原子の両方を含む原子の鎖を含み、任意に分岐している。特定の実施形態において、ヘテロアルキルは、Ｃ１−Ｃ２０、Ｃ１０−Ｃ２０、Ｃ１−Ｃ１２、Ｃ１−Ｃ１０、Ｃ１−Ｃ９、Ｃ１−Ｃ８、Ｃ１−Ｃ７、Ｃ１−Ｃ６、およびＣ１−Ｃ４を含む限定された長さであることが有利であり得ることが理解されるであろう。例示的に、Ｃ１−Ｃ８、Ｃ１−Ｃ７、Ｃ１−Ｃ６、およびＣ１−Ｃ４などを含む、そのような特に限定された長さのヘテロアルキル基は、「低級ヘテロアルキル」と呼ばれ得る。いくつかの実施形態において、ヘテロアルキルは、Ｃ６−Ｃ１０、Ｃ１１−Ｃ１６、Ｃ１６−Ｃ２０、および、Ｃ６−Ｃ２０であり得る。例示的なヘテロ原子には、窒素、酸素、および硫黄が含まれる。特定の変形例では、例示的なヘテロ原子はまた、リンおよびセレンを含む。
【００２４】
本明細書で使用される場合、「ヘテロアルキレン」という用語は、ヘテロアルキルが以前に定義された通りである二価のヘテロアルキル基を指す。例示的なヘテロアルキレン基には、−エトキシレン−が含まれる。
【００２５】
本明細書で使用される場合、「ヘテロアルケニル」という用語は、任意に分岐する炭素原子の鎖および少なくとも１つのヘテロ原子の両方を含み、少なくとも１つの炭素−炭素二重結合（すなわち、Ｃ＝Ｃ）も含む。特定の実施形態において、ヘテロアルケニルは、Ｃ２−Ｃ２０、Ｃ１０−Ｃ２０、Ｃ２−Ｃ１２、Ｃ２−Ｃ９、Ｃ２−Ｃ８、Ｃ２−Ｃ７、Ｃ２−Ｃ６、およびＣ２−Ｃ４を含む、限定された長さであることが有利であり得ることが理解されるであろう。例示的に、Ｃ２−Ｃ８、Ｃ２−Ｃ７、Ｃ２−Ｃ６、およびＣ２−Ｃ４を含むそのような特に限定された長さのヘテロアルケニル基は、低級ヘテロアルケニルと呼ばれ得る。いくつかの実施形態において、ヘテロアルケニルは、Ｃ６−Ｃ１０、Ｃ１１−Ｃ１６、Ｃ１６−Ｃ２０、およびＣ６−Ｃ２０であり得る。ヘテロアルケニルは、アルキルについて記載されているように、または本明細書で提供される様々な実施形態に記載されているように、非置換または置換され得る。例示的なヘテロ原子には、窒素、酸素、および硫黄が含まれる。特定の変形例では、例示的なヘテロ原子はまた、リンおよびセレンを含む。
【００２６】
本明細書で使用される場合、「ヘテロアルキニル」という用語は、任意に分岐される炭素原子の鎖および少なくとも１つのヘテロ原子の両方を含み、少なくとも１つの炭素−炭素三重結合（すなわち、Ｃ≡Ｃ）も含む。特定の実施形態において、ヘテロアルキニルは、Ｃ２−Ｃ２０、Ｃ１０−Ｃ２０、Ｃ２−Ｃ１２、Ｃ２−Ｃ９、Ｃ２−Ｃ８、Ｃ２−Ｃ７、Ｃ２−Ｃ６、およびＣ２−Ｃ４を含む、限定された長さであることが有利であり得ることが理解されるであろう。例示的に、Ｃ２−Ｃ８、Ｃ２−Ｃ７、Ｃ２−Ｃ６、およびＣ２−Ｃ４を含むそのような特に限定された長さのヘテロアルキニル基は、低級ヘテロアルキニルと呼ばれ得る。 いくつかの実施形態において、ヘテロアルキニルは、Ｃ６−Ｃ１０、Ｃ１１−Ｃ１６、Ｃ１６−Ｃ２０、およびＣ６−Ｃ２０であり得る。ヘテロアルキニルは、アルキルについて記載されているように、または本明細書で提供される様々な実施形態に記載されているように、非置換または置換され得る。例示的なヘテロ原子には、窒素、酸素、および硫黄が含まれる。特定の変形例では、例示的なヘテロ原子はまた、リンおよびセレンを含む。
【００２７】
本明細書で使用される場合、「ヘテロアルキニレン」という用語は、ヘテロアルキニルが以前に定義された通りである二価のヘテロアルキニル基を指す。
【００２８】
本明細書で使用される場合、ヘテロシクリルおよび複素環を含む「シクロヘテロアルキル」という用語は、ヘテロアルキルなどの炭素と少なくとも１つのヘテロ原子の両方を含む原子の鎖を含み、任意に分岐しており、鎖の少なくとも一部が環状である。例示的なヘテロ原子には、窒素、酸素、および硫黄が含まれる。特定の変形例では、例示的なヘテロ原子はまた、リンおよびセレンを含む。例示的なシクロヘテロアルキルには、テトラヒドロフリル、ピロリジニル、テトラヒドロピラニル、ピペリジニル、モルホリニル、ピペラジニル、ホモピペラジニル、キヌクリジニルなどが含まれるが、これらに限定されない。本明細書で使用される場合、「ヘテロシクロアルキル」という用語は、環内に３〜１２個の環原子を有する単環式または縮合環基を意味し、少なくとも１つの環原子は窒素、酸素、硫黄などのヘテロ原子であり、残りの環原子は炭素原子である。ヘテロシクロアルキルは、任意選択で、１、２、３または４個のヘテロ原子を含み得る。ヘテロシクロアルキルはまた、窒素への二重結合（例えば、Ｃ＝ＮまたはＮ＝Ｎ）を含む１つまたは複数の二重結合を有し得るが、完全に共役したパイ電子系を含まない。特定の実施形態において、ヘテロシクロアルキルは、３〜７員のヘテロシクロアルキル、５〜７員のヘテロシクロアルキルなどの限定されたサイズであることが有利であり得ることが理解されるであろう。ヘテロシクロアルキルは、アルキルについて記載されているように、または本明細書で提供される様々な実施形態に記載されているように、非置換または置換され得る。例示的なヘテロシクロアルキル基には、オキシラニル、チアナリル、アゼチジニル、オキセタニル、テトラヒドロフランイル、ピロリジニル、テトラヒドロピラニル、ピペリジニル、１，４−ジオキサニル、モルホリニル、１，４−ジチアニル、ピペラジニル、オキセパニル、３，４−ジヒドロ−２Ｈ−ピラニル、５，６−ジヒドロ−２Ｈ−ピラニル、２Ｈ−ピラニル、１，２，３，４−テトラヒドロピリジニルなどが含まれるが、これらに限定されない。
【００２９】
本明細書で使用される場合、「シクロヘテロアルキレン」という用語は、シクロヘテロアルキルが以前に定義された通りである二価のシクロヘテロアルキル基を指す。例示的なシクロヘテロアルキレン基には、−モルホリニレン−および−ピペラジニレン−が含まれる。
【００３０】
本明細書で使用される場合、「ヘテロアリール」という用語は、窒素、酸素および硫黄から選択される１、２、３または４つの環状ヘテロ原子を含む５〜１２個の環状原子を有する単環式または縮合環基を指し、残りの環状原子は炭素原子であり、さらに完全に共役パイ電子系を有する。特定の実施形態において、ヘテロアリールは、有利には、３〜７員のヘテロアリール、５〜７員のヘテロアリールなどの限定されたサイズであることが有利であり得ることが理解されるであろう。ヘテロアリールは、アルキルについて記載されているように、または本明細書で提供される様々な実施形態に記載されているように、非置換または置換され得る。例示的なヘテロアリール基には、ピロリル、フラニル、チオフェニル、イミダゾリル、オキサゾリル、チアゾリル、ピラゾリル、ピリジニル、ピリミジニル、キノリニル、イソキノリニル、プリニル、テトラゾリル、トリアジニル、ピラジニル、テトラジニル、キナゾリニル、キノキサリニル、チエニル、イソオキサゾール、イソチアゾリル、オキサジアゾリル、チアジアゾリル、トリアゾリル、ベンズイミダゾリル、ベンゾオキサゾリル、ベンズチアゾリル、ベンズイソキサゾリル、ベンズイソチアゾリル、カルバゾロイルなどが含まれるが、これらに限定されない。
【００３１】
本明細書で使用される場合、「ヘテロアリーレン」という用語は、ヘテロアリールが以前に定義された通りである二価のヘテロアリール基を指す。例示的なヘテロアリーレン基には、−イミダゾイレン−および−フラニレン−が含まれる。
【００３２】
本明細書で使用される場合、「ヒドロキシ」または「ヒドロキシル」は−ＯＨ基を指す。
【００３３】
本明細書で使用される場合、「アルコキシ」は−Ｏ−（アルキル）または−Ｏ−（非置換シクロアルキル）基の両方を指す。代表的な例には、これらに限定されないが、メトキシ、エトキシ、プロポキシ、ブトキシ、シクロプロピルオキシ、シクロブチルオキシ、シクロペンチルオキシ、シクロヘキシルオキシなどが含まれる。
【００３４】
本明細書で使用される場合、「ハロ」または「ハロゲン」は、フッ素、塩素、臭素またはヨウ素を指す。
【００３５】
本明細書で使用される場合、「結合」は共有結合を指す。
【００３６】
本明細書で使用される場合、「アミノ」は、−ＮＲ"Ｒ"基を指し、ここで、Ｒ"は、本明細書で提供される様々な実施形態に記載される任意のＲ基である。
【００３７】
本明細書で使用される場合、「任意」または「任意に」は、その後に説明される事象または状況が発生する可能性があるが発生する必要はないことを意味し、説明には、事象または状況が発生する場合と発生しない場合が含まれる。例えば、「任意にアルキル基で置換された複素環基」とは、アルキルが存在してもよいが、存在しなくてもよいことを意味し、本明細書には、複素環基がアルキル基で置換されている状況と、複素環基がアルキル基で置換されていない状況とが記載されている。
【００３８】
本明細書で使用される場合、「独立して」とは、その後に記載される事象または状況が、他の同様の事象または状況と比較して、それ自体で読み取られることを意味する。例えば、いくつかの同等の水素基がその状況で説明される別の基によって任意に置換される状況では、「独立して任意選択で」の使用は、基上の水素原子の各例が別の基によって置換され得ることを意味し、各水素原子の置換は同じでも異なっていてもよい。または、例えば、複数の基が存在し、そのすべてが一連の可能性から選択できる場合、「独立して」の使用は、各基が他の基とは別の可能性のセットから選択でき、基が選択されることを意味する。状況によっては、同じでも異なっていてもよい。
【００３９】
本開示の原理の理解を促進する目的で、ここで、図面に示されているいくつかの例示的な実施形態を参照し、特定の言語を使用してそれを説明する。
【００４０】
潤滑剤は、焼灼などの医療処置において、焼灼プローブ上の物質の蓄積を低減するために使用され得る。実例となる焼灼プローブには、電気焼灼プローブ、加熱されたメス、およびロボット処置で使用できるものが含まれる。潤滑剤の例示的な実施形態は、基油、リン脂質、塩、またはそれらの組み合わせを有する製剤を有し得る。いくつかの実施形態では、本開示による潤滑剤は、多相非粘着メカニズムを使用する。いくつかの実施形態では、潤滑剤は、潤滑剤が使い果たされて組織の付着が起こり始める前の比較潤滑剤と比較して、適用あたりの電気焼灼の火傷の数を２倍以上にする（図１を参照）。さらに、いくつかの実施形態では、潤滑剤は、使用中に透明な外観を保持し得、比較潤滑剤処方で示される組織の変色を防止し得る（図２Ａを参照）。いくつかの実施形態では、製剤はまた、電気焼灼プロセスによって生成され得る悪臭を相殺するのを助ける天然フレグランスオイルを有する。
【００４１】
潤滑剤用の製剤は、特定の割合の基油を有し得る。潤滑剤用の製剤の基油の割合は、製剤の重量で少なくとも約４０％、少なくとも約５０％、少なくとも約６０％、または少なくとも約６５％であり得る。いくつかの実施形態では、基油は、製剤の重量の、約４０％、約４５％、約５０％、約５５％、約６０％、約６５％、約７０％、約７５％、約８０％、約８５％、約９０％、または約９５％である。いくつかの実施形態では、基油は、製剤の重量で約４０％〜約９５％、約５０％〜約９５％、約５５％〜約９５％、約５５％〜約９０％、約６０％〜約９５％、または約６０％〜約９０％である。いくつかの実施形態では、製剤は、１つ、２つ、または３つの基油を有し得る。いくつかの実施形態では、製剤は基油の混合物を有する。
【００４２】
いくつかの例示的な実施形態において、基油は、式Ｉ
【化７】
2021523273.tif 000009
の化合物またはその塩を有する。いくつかの実施形態において、Ｒ１は、Ｈ、Ｃ１−Ｃ６アルキル、Ｃ１−Ｃ６アルケニル、または、Ｃ１−Ｃ６アルキニルである。例示的には、Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換される。いくつかの実施形態において、Ｒ２は、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７で任意に置換される。いくつかの実施形態において、各Ｒ３およびＲ７は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノ、またはその塩で任意に置換される。
【００４３】
いくつかの実施形態において、Ｒ１は、Ｈであり、式Ｉの化合物はカルボン酸である。いくつかの実施形態において、Ｒ１は、任意に置換されたＣ１−Ｃ６アルキルであり、式Ｉの化合物はエステルである。Ｃ１−Ｃ６アルキルの任意の置換基は、ハロ、ヒドロキシ、アミノ、オキソ、または、ＯＲ３を含む。いくつかの実施形態において、各Ｒ３は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、または、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、および−Ｃ（Ｏ）Ｃ１０−Ｃ２５アルキニルの各水素原子は、独立して、ハロ、ヒドロキシ、または、アミノで任意に置換される。
【００４４】
いくつかの実施形態において、各Ｒ３は、独立して、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、および−Ｃ（Ｏ）Ｃ１０−Ｃ２５アルキニルの各水素原子は、独立して、ハロ、ヒドロキシ、または、アミノで任意に置換される。いくつかの他の実施形態において、各Ｒ３は、独立して、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、−Ｃ（Ｏ）Ｃ１０−Ｃ２５アルキル、−Ｃ（Ｏ）Ｃ１０−Ｃ２５アルケニル、および−Ｃ（Ｏ）Ｃ１０−Ｃ２５アルキニルの各水素原子は、独立して、ハロ、ヒドロキシ、または、アミノで任意に置換される。
【００４５】
いくつかの実施形態では、式Ｉの化合物はトリオレインである。いくつかの実施形態において、式Ｉの化合物は、トリミリスチンまたはミリスチン酸イソプロピルである。いくつかの実施形態では、式Ｉの化合物は、アボカド油、キャノーラ油、ヒマシ油、ココナッツ油、オリーブ油、パーム油、ベニバナ油、またはヒマワリ、高オレイン酸油に由来する。いくつかの実施形態では、製剤は、式Ｉの１つより多くの化合物を有する。いくつかの実施形態では、製剤は、式Ｉの２つまたは少なくとも２つの化合物を有する。
【００４６】
基油は、式Ｉの化合物の特定の割合を有し得る。基油における式Ｉの化合物の割合は、基油の重量で、少なくとも約１０％、少なくとも約２０％、少なくとも約３０％、少なくとも約４０％、または少なくとも約５０％であり得る。いくつかの実施形態において、式Ｉの化合物は、基油の重量で、約１０％、約１５％、約２０％、約２５％、約３０％、約３５％、約４０％、約４５％、約５０％、約５５％、約６０％、約６５％、約７５％、約８５％、約９０％、または約１００％である。いくつかの実施形態において、式Ｉの化合物は、基油の重量で、約１０％〜約１００％、約３０％〜約１００％、約３０％〜約８５％、約３５％〜約８５％、約４５％〜約８５％、または約５０％〜約７５％である。
【００４７】
いくつかの実施形態において、基油は植物油であり得る。いくつかの他の実施形態において、基油はレシチンであり得る。いくつかの実施形態において、基油は、アボカド油、グレープシード油、キャノーラ油、ココナッツ油、ヒマシ油、オリーブ油、パーム油、ベニバナ油、ひまわり油、およびトリオレインからなる群から選択することができる。 基油は、不飽和、飽和、または多価不飽和の脂肪酸を有し得る。いくつかの実施形態では、基油はアボカド油である。いくつかの実施形態では、基油はグレープシード油である。
【００４８】
本開示のいくつかの態様によれば、基油は発煙点を有する。いくつかの実施形態では、基油の発煙点は、少なくとも約３８０°Ｆ、少なくとも約４００°Ｆ、少なくとも約４２５°Ｆ、少なくとも約４５０°Ｆ、少なくとも約４７５°Ｆ、少なくとも約４９０°Ｆ、少なくとも約５００°Ｆ、または少なくとも約５１０°Ｆである。いくつかの実施形態では、基油は、約９００°Ｆ未満、約８００°Ｆ未満、または約７５０°Ｆ未満の発煙点を有する。いくつかの実施形態では、基油は、約３８０°Ｆ〜約９００°Ｆ、約３８０°Ｆ〜約７５０°Ｆ、約３８０°Ｆ〜約６５０°Ｆ、約４００°Ｆ〜約６５０°Ｆ、または、約４００°Ｆ〜約５５０°Ｆの範囲の発煙点を有する。いくつかの実施形態において、基油はアボカド油（発煙点約５２０°Ｆ）、キャノーラ油（発煙点約４３０°Ｆ）、ココナッツ油（発煙点約４００°Ｆ）、ヒマシ油（発煙点約３９０°Ｆ）、オリーブ油（発煙点約４１０〜約４６０°Ｆ）、パーム油（発煙点約４５０°Ｆ）、ベニバナ油（発煙点約４５０°Ｆ）、またはひまわり、高オレイン酸油（発煙点約４５０°Ｆ）である。いくつかの実施形態において、基油はミリスチン酸イソプロピルである。
【００４９】
いくつかの実施形態において、潤滑剤用の製剤は、リン脂質またはその同等物を有する。例示的に、リン脂質は、レシチン、コリン、脂質、またはそれらの組み合わせを有する。いくつかの実施形態では、脂質は水素化されている。いくつかの実施形態において、レシチンは、耐熱性を改善するために、アセチル化、水素化、ホスファチジルコリン濃縮、またはそれらの組み合わせによって処理されてきた。いくつかの実施形態において、レシチンは、液体または固体形態である。
【００５０】
いくつかの例示的な実施形態において、リン脂質は、式ＩＶ
【化８】
2021523273.tif 000010
の化合物、またはその塩を有する。いくつかの実施形態において、各Ｒ４およびＲ５は、独立して、Ｃ１０−Ｃ２５アルキル、Ｃ１０−Ｃ２５アルケニル、または、Ｃ１０−Ｃ２５アルキニルであり、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、オキソ、またはＯＲ６で任意に置換される。例示的な実施形態において、Ｒ６は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される。いくつかの実施形態において、リン脂質、またはその塩は、少なくとも１つのＣ１０−Ｃ２５アルキルを有する。いくつかの実施形態において、リン脂質、またはその塩は、Ｃ１０−Ｃ２５アルケニルを実質的に含まない。
【００５１】
潤滑剤用の製剤は、特定の割合のリン脂質またはその塩を有し得る。潤滑剤用の製剤におけるリン脂質またはその塩の割合は、製剤の重量で、少なくとも約２％、少なくとも約３％、少なくとも約４％、または少なくとも約５％であり得る。いくつかの実施形態において、リン脂質またはその塩は、製剤の重量で、約２０％未満、約１５％未満、または約１０％未満であり得る。いくつかの実施形態において、リン脂質またはその塩は、製剤の重量で、約２％、約３％、約４％、約５％、約６％、約７％、約８％、約９％、約１０％、約１２％、約１５％、または約２０％であり得る。いくつかの実施形態において、リン脂質またはその塩は、製剤の重量で、約２％〜約２０％、約２％〜約１５％、約３％〜約１５％、約３％〜約１０％、または、約４％〜約１０％であり得る。
【００５２】
いくつかの実施形態において、製剤は、プローブ上の非粘着性表面の形成を促進または関与し得る成分を含む。いくつかの実施形態において、この成分は、製剤中に懸濁され得る。いくつかの実施形態において、潤滑剤用の製剤は、式
【化９】
2021523273.tif 000011
の塩を有する。いくつかの実施形態において、Ｍ１は二価カチオンである。いくつかの実施形態において、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルである。いくつかの実施形態において、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換される。いくつかの実施形態において、Ｒ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される。いくつかの実施形態において、二価カチオンは、マグネシウム、カルシウム、または鉄である。いくつかの実施形態において、式ＩＩの塩は、ステアリン酸塩を含む。いくつかの実施形態において、式ＩＩの塩はステアリン酸カルシウムである。
【００５３】
いくつかの実施形態では、Ｍ１は一価カチオンであり、Ｒ８またはＲ９のうちの１つのみと関連している。いくつかの実施形態において、製剤は、ステアリン酸塩を含む。いくつかの実施形態において、製剤は、ステアリン酸ナトリウムを含む。
【００５４】
潤滑剤用の製剤は、式ＩＩの塩の特定の割合を有し得る。潤滑剤用の製剤に対する式ＩＩの塩の割合は、製剤の重量で少なくとも約２％、少なくとも約３％、少なくとも約４％、または、少なくとも約５％であり得る。いくつかの実施形態では、潤滑剤用の製剤の式ＩＩの塩は、製剤の重量で約２０％未満、約１５％未満、または約１０％未満であり得る。いくつかの実施形態において、式ＩＩの塩は、製剤の重量で、約２％、約３％、約４％、約５％、約６％、約７％、約８％、約９％、約１０％、約１２％、約１５％、または約２０％である。いくつかの実施形態において、式ＩＩの塩は、製剤の重量で約２％〜約２０％、約２％〜約１５％、約３％〜約１５％、約３％〜約１０％、または約５％〜約１０％である。 
【００５５】
いくつかの実施形態では、製剤は、耐熱性を維持しながら、製剤の厚さ、製剤の質感、またはその両方を変更する成分を有する。いくつかの実施形態では、潤滑剤用の製剤は、式Ｖ
【化１０】
2021523273.tif 000012
の化合物またはその塩を有する。いくつかの実施形態において、各Ｒ１１、Ｒ１２、およびＲ１３は、独立して、Ｃ１０−Ｃ２５アルキル、Ｃ１０−Ｃ２５アルケニル、または、Ｃ１０−Ｃ２５アルキニルである。いくつかの実施形態において、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソまたはＯＲ１４で任意に置換される。いくつかの実施形態において、Ｒ１４は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、および、Ｃ１−Ｃ６アルキニルの各水素原子は、独立して、ハロ、ヒドロキシ、またはアミノで任意に置換される。いくつかの実施形態において、各Ｒ１１、Ｒ１２、およびＲ１３は、独立して、Ｃ１０−Ｃ２５アルキル、または、Ｃ１０−Ｃ２５アルケニルである。いくつかの実施形態において、各Ｒ１１、Ｒ１２、およびＲ１３は、独立して、Ｃ１０−Ｃ２５アルキルである。いくつかの実施形態において、式Ｖの化合物は、ステアリン酸塩を有する。いくつかの実施形態において、式Ｖの化合物は、トリステアリン酸グリセリルである。いくつかの実施形態において、式Ｖの化合物は、基油中に見出される。
【００５６】
いくつかの実施形態では、潤滑剤用の製剤は、飽和脂肪酸を有する。いくつかの実施形態において、潤滑剤用の製剤はミリスチン酸を有する。
【００５７】
いくつかの実施形態では、製剤は長鎖アルコールを有する。例示的に、アルコールは、第一級アルコールまたは第二級アルコールであり得る。実例として、アルコールは飽和または不飽和であり得る。いくつかの実施形態において、製剤は、式ＨＯ（ＣＨ２）ｄＣＨ３のアルコールを有し、ここで、ｄは、７〜１２までの整数である。いくつかの実施形態において、アルコールは、ステアリルアルコールである。いくつかの実施形態では、アルコールはセチルアルコールである。
【００５８】
潤滑剤用の製剤は、式Ｖの化合物、長鎖アルコール、飽和脂肪酸、またはそれらの塩の特定の割合を有し得る。式Ｖの化合物、長鎖アルコール、飽和脂肪酸、またはそれらの塩の、潤滑剤用の製剤に対する割合は、製剤の重量で、少なくとも約２％、少なくとも約３％、少なくとも約４％、または、少なくとも約５％であり得る。いくつかの実施形態において、潤滑剤用の製剤における式Ｖの化合物、長鎖アルコール、飽和脂肪酸、またはそれらの塩は、製剤の重量で、約２０％未満、約１５％未満、または、約１０％未満であり得る。いくつかの実施形態において、式Ｖの化合物、長鎖アルコール、飽和脂肪酸、またはそれらの塩は、製剤の重量で、約２％、約３％、約４％、約５％、約６％、約７％、約８％、約９％、約１０％、約１２％、約１５％、または約２０％である。いくつかの実施形態において、式Ｖの化合物、長鎖アルコール、飽和脂肪酸、またはそれらの塩は、製剤の重量で約２％〜約２０％、約２％〜約１５％、約３％〜約１５％、約３％〜約１０％、または約５％〜約１０％である。
【００５９】
いくつかの実施形態において、潤滑剤用の製剤は、香料を有する。いくつかの実施形態では、香料はエッセンシャルオイルを含む。いくつかの実施形態では、エッセンシャルオイルはメイスエッセンシャルオイルである。
【００６０】
製剤は、特定の重量パーセントの香料を有し得る。いくつかの実施形態において、鋼亮は、製剤の重量で。少なくとも約１％、少なくとも約３％、少なくとも約５％、または少なくとも約１０％である。いくつかの実施形態において、香料は、製剤の重量で、最大約２５％、最大約２０％、または最大約１５％である。香料は、製剤の重量で、約２％、約３％、約４％、約５％、約６％、約７％、約７．５％、約８％、約９％、約１０％、約１２％、約１５％、約２０％、または約２５％であり得る。香料は、製剤の重量で約２％〜約２５％、約２％〜約２０％、約２％〜約１５％、約３％〜約１２％、または約５％〜約１２％であり得る。
【００６１】
いくつかの実施形態では、潤滑剤用の製剤は、少なくとも１つの抗酸化剤を有する。抗酸化剤は、脂肪成分を熱分解から保護し得る。さらに、抗酸化剤は防腐剤として作用し、体の治癒過程を助ける可能性がある。いくつかの実施形態では、少なくとも１つの抗酸化剤は、トコフェロールまたはリポ酸を有する。いくつかの実施形態において、抗酸化剤は、トコフェロールの混合物を有する。いくつかの実施形態において、リポ酸は、アルファリポ酸である。
【００６２】
製剤は、特定の重量パーセントの少なくとも１つの抗酸化剤を有し得る。いくつかの実施形態において、少なくとも１つの抗酸化剤は、製剤の重量で、少なくとも約１％または少なくとも約３％である。いくつかの実施形態において、少なくとも１つの抗酸化剤は、製剤の重量で、最大約２０％、最大約１５％、または最大約１０％である。少なくとも１つの抗酸化剤は、製剤の重量で、約１％、約２％、約３％、約４％、約５％、約６％、約７％、約７．５％、約８％、約９％、約１０％、約１２％、約１５％、または約２０％であり得る。 少なくとも１つの抗酸化剤は、製剤の重量で、約１％〜約２０％、約１％〜約１５％、約１％〜約１０％、または約２％〜約８％であり得る。
【００６３】
いくつかの実施形態では、潤滑剤用の製剤は、少なくとも１つの抗炎症剤を有する。いくつかの実施形態では、少なくとも１つの抗炎症剤は、カリオフィレンまたはフィト芳香族を有する。いくつかの実施形態において、フィト芳香族は、テルペンを有する。
【００６４】
製剤は、特定の重量パーセントの少なくとも１つの抗炎症剤を有し得る。 いくつかの実施形態では、少なくとも１つの抗炎症剤は、製剤の少なくとも約１重量％または少なくとも２重量％である。いくつかの実施形態では、少なくとも１つの抗炎症剤は、製剤の重量で、最大約２０％、最大約１５％、または最大約１０％である。少なくとも１つの抗炎症剤は、製剤の重量で、約１％、約２％、約３％、約４％、約５％、約６％、約７％、約７．５％、約８％、約９％、約１０％、約１２％、約１５％、または約２０％であり得る。少なくとも１つの抗炎症剤は、製剤の重量で、約１％〜約２０％、約１％〜約１５％、約１％〜約１０％、または約２％〜約８％であり得る。
【００６５】
いくつかの実施形態では、製剤は、香りのある成分を有し得る。いくつかの実施形態では、香りのある成分はフレグランスオイルである。いくつかの実施形態では、香りのある成分は生体適合性である。いくつかの実施形態では、香りのある成分は、酢酸ヘキシル、フラクトン、メチルフェニルグリシジン酸エチル、およびそれらの組み合わせからなる群から選択される。いくつかの実施形態では、香りのある成分は酢酸ヘキシルである。いくつかの実施形態では、香りのある成分はフルクトンである。いくつかの実施形態では、香りのある成分はエチルメチルフェニルグリシデートである。いくつかの実施形態では、香りのある成分はラクトンを有する。香料入り成分に関連する追加の開示は、その全体が参照により本明細書に明示的に組み込まれる米国特許出願第１５／２４０，５３８号に見出すことができる。
【００６６】
本開示の別の態様は、潤滑剤用の製剤を調製する方法である。例示的に、この方法は、基油を加熱する工程、基油を式Ｖの化合物と混合する工程、基油をリン脂質と混合する工程を有し得る。
【００６７】
いくつかの実施形態では、加熱のステップは、基油を約８０°Ｆ〜約３５０°Ｆ、約８０°Ｆ〜約３２５°Ｆ、約９０°Ｆ〜約３２５°Ｆ、約９０°Ｆ〜約２７５°Ｆ、または約１２０°Ｆ〜約２２５°Ｆの温度に加熱する工程を有する。
【００６８】
いくつかの実施形態では、混合する工程は、約２５〜約１，０００ＲＰＭ、約７５〜約１，０００ＲＰＭ、約７５〜約８００ＲＰＭ、約１００〜約８００ＲＰＭ、約１００〜約７００ＲＰＭ、または約１００〜約６００ＲＰＭの速度で撹拌することによって実行される。いくつかの実施形態では、基油を式Ｖの化合物と混合する工程は、基油をリン脂質と混合する工程の前に行われる。
【００６９】
いくつかの実施形態において、この方法は、少なくとも１つの抗酸化剤、少なくとも１つの抗炎症剤、または両方の混合物を基油と混合する工程を有する。いくつかの実施形態では、混合する工程は懸濁液を生成する。
【００７０】
いくつかの実施形態において、この方法は、懸濁液を脱気する工程をさらに有する。例示的に、脱気する工程は、懸濁液に真空を適用することによって実行され得る。
【００７１】
いくつかの例示的な実施形態では、この方法は、懸濁液を約１００°Ｆ〜約１５０°Ｆの温度に冷却する工程をさらに有する。いくつかの実施形態では、懸濁液は、冷却する前に脱気される。
【００７２】
いくつかの実施形態において、方法は、冷却された懸濁液を香料、少なくとも１つの抗酸化剤、少なくとも１つの抗炎症剤、またはそれらの混合物と混合する工程を有する。
【００７３】
例示的に、ステアリン酸は完全に飽和した脂肪であり、エステル化されたステアリン酸はアボカド油の主成分であり得る。ステアリン酸を含む基油にトリステア酸グリセリルを添加すると、油の厚さが変更され、高い耐熱性を維持しながら、所望の質感に較正することができる。これらの特性により、より大きな自己回復が可能になる場合がある。いくつかの例示的な実施形態では、製剤は、水素化ホスファチジルコリンを有する。いくつかの実施形態では、製剤は、熱分解に対する脂肪成分の保護を提供し得るｄ−アルファトコフェロール油を有する。この保護は、その強力な抗酸化特性による可能性がある。これにより、防腐剤として機能し、体の治癒過程を助ける可能性もある。いくつかの例示的な実施形態では、これらの４つの構成要素は、非粘着機構の第１段階を有し得る。実例として、これらの成分は、改善された熱安定性を提供し、比較潤滑剤と比較して、劣化する前により多くの火傷に耐えることができる。例示的な製剤への可能な利益は、加熱時の粘度の変化であり得る。比較潤滑剤は、加熱しても比較的粘性があり、プローブの自己修復能力が制限されていた。本開示による製剤は、加熱されるとプローブの表面上を容易に流れ、これにより、ベアスポットが迅速に回復することが可能になる可能性がある。これは、プローブの作業側で枯渇したにもかかわらず、プローブに大量の比較潤滑剤が残っていることも特徴である（図２Ｃを参照）。本開示による潤滑剤は、プローブから大部分が枯渇する可能性があるが、第２相機構により、非粘着性を保持し続ける可能性がある。
【００７４】
いくつかの実施形態において、製剤は、製剤の性能を延長し得、そしてレシチンの疎水性／親水性の性質とは無関係であり得る第２の非粘着相を提供し得る。代わりに、第２相は、固結防止剤、離型剤、および撥水剤としての塩（例えば、ステアリン酸カルシウム）の特性に依存し得る。塩として、この分子は分解する前に膨大な量の熱に耐えることができる可能性があり、離型および固結防止用途のために食品および製薬業界全体で使用される可能性がある。本開示によるいくつかの製剤では、ステアリン酸カルシウムが溶液中に懸濁され、プローブ上に沈着する可能性がある。製剤の脂肪成分が熱によって失われ得るため、ステアリン酸カルシウムがプローブ上に保護バリアを形成する可能性があり、これにより、熱に対して非常に弾力性のある非粘着性の表面が提供され得る。さらに、新しい製剤中の脂肪成分の混合物は、チャーを蓄積する傾向が少ない可能性があり、したがって、比較潤滑剤と比較して、いくつかの焼灼適用後の性能低下の影響を受けにくい可能性がある。代わりに、比較的薄い残留物の層が残され、プローブから組織へのエネルギーの移動を最小限に妨げ得る。塩（例えばステアリン酸カルシウム）は粘着を防ぐのに効果的である可能性があるため、継続的な使用で追加の残留物はほとんど蓄積しない。さらに、本開示によるいくつかの製剤でプローブに付着する組織の量は、元の製剤に典型的なものよりもはるかに少ない傾向があった（図２Ｂおよび２Ｅを参照）。
【００７５】
いくつかの実施形態では、製剤は、フレグランスオイルなどの香料を有する。いくつかの実施形態では、フレグランスオイルはメイスオイルであり、ナツメグ（Ｍ．フラグラン）の仮種皮に由来する。実例として、メイスオイルは、その入手可能性、既知のアレルゲンの欠如、低い感作性、強いが心地よい臭い、およびそれが枯渇する前に長期間持続することを可能にする可能性がある高い沸点のために好ましい場合がある。さらに、メイスオイルは他の多くの植物エッセンシャルオイルと比較して揮発性が比較的低いため、製造プロセスが容易になり、瓶詰めに必要な製品の加熱によるオイルの蒸発による損失が最小限に抑えられる。
【００７６】
いくつかの実施形態では、潤滑剤用の製剤は、完全に水素化されたホスファチジルコリンなどのリン脂質を含む。いくつかの例示的な実施形態において、リン脂質は、高沸点を有する飽和脂肪の混合物に溶解され得る。いくつかの実施形態では、基油はアボカド油を含み、製剤は、それぞれ異常に高い発煙点および沸点で知られているトリステアリン酸グリセリルを有する。実例として、完全に水素化された化合物を使用すると、より優れた熱安定性を供給し得る。
【００７７】
本開示は、前述の図面および説明において詳細に例示および説明されているが、同じものは例示的であり、性質を限定するものではないと見なされるべきであり、その例示的な実施形態のみが示され、説明されており、すべてが 開示の精神の範囲内にある変更および修正は保護されることが望まれる。
【００７８】
実施例
実施例１
潤滑剤用製剤
潤滑剤用の製剤は、基油、トリステアリン酸塩、ステアリン酸塩、リン脂質、酸化防止剤、香料、および抗炎症剤を含んでいた。基油はアボカド油、トリステアリン酸塩はトリステアリン酸グリセリル、ステアリン酸塩はステアリン酸カルシウム、リン脂質は水素化ホスファチジルコリン、抗酸化剤は混合トコフェロール油、香料はメイスエッセンシャルオイル、抗炎症剤はベータ−カリオフィレンであった。成分は、潤滑剤を調製するために混合するにあたって、以下に記載される量で組み合わされた。
７０％    アボカド油
６％      トリステアリン酸グリセリル
５％      ステアリン酸カルシウム
３％      混合トコフェロール油
７．５％  メイスエッセンシャルオイル
２．５％  ベータ−カリオフィレン
【００７９】
得られた潤滑剤は、通常、室温で液体であり、通常、無色であった。
【００８０】
実施例２
潤滑剤を混合するためのプロセス
基油（例えば、アボカド）を、約１２０〜５００ＲＰＭの撹拌下で容器に加え、約１５０°Ｆ〜１８０°Ｆの温度にする。次に、加熱と撹拌を続けながら、トリステアリン酸グリセリル、トコフェロールを含む油溶性化合物を特に順不同で添加する。成分が概ね溶解するまで、攪拌と加熱を続ける。次に、ステアリン酸カルシウムと水素化ホスファチジルコリンを加えて懸濁液を作り、撹拌を続ける。撹拌を続けながら、熱を下げて混合物をゆっくりと冷却する。この段階で、撹拌および添加中に閉じ込められた可能性のある小さな気泡を除去するために、脱気真空手順を実施することができる。
【００８１】
混合物が約１１０°Ｆ〜約１２０°Ｆに冷却されたら、カリオフィレンおよびメイスオイルを加える。熱を取り除くが、混合物が約９０°Ｆに下がるまで撹拌を続ける。その後、撹拌を停止し、混合物を最終的なクリーム状の粘稠度にする。
【００８２】
実施例３
潤滑剤でプローブをコーティングするためのプロセス
電気焼灼チップへの適用は、実施例１または２による製剤のリザーバーにプローブを簡単に浸漬する工程、その後、プローブを穏やかに振ったり、叩いたりして、余分なものを遊離させる工程からなる。現在のエレクトロルーブ製剤の場合と同様に、拭き取りも可能である。
【００８３】
実施例４
潤滑剤の性能
以下の実験条件は、比較潤滑剤用製剤の性能を、本開示に従って実施例１で調製された製剤と比較するために考案された。ステンレス鋼のスパチュラプローブを、比較潤滑剤（Ｅｌｅｃｔｒｏ−Ｌｕｂｅ（登録商標））または実施例１の潤滑剤（図２Ｆを参照）のいずれかで均一にコーティングし、新鮮な鶏胸肉の「皮膚側」に対してフルパワーで繰り返し凝固電気焼灼を行った。プローブは、プローブと肉との間に連続的なアークを発生させる方法で鶏肉の表面に対して位置決めされ、それぞれ約５〜１０秒ずつ持続した。各燃焼後、プローブは隣接する影響を受けていない領域に移動され、繰り返された（図２Ａを参照）。これは、肉がプローブに付着するまで続き、その時点で試験は完了したと見なされた。達成された火傷の数を記録し、記録のためにプローブを写真に撮った。次に、ワイヤーホイールを使用してプローブを洗浄し、拭いた。すべての試験で同じプローブを使用した。元の式と改訂された式について、それぞれ１１回の試行が行われた。
【００８４】
統計プログラムＲを使用してウェルチのｔ検定でデータを分析した。図１を参照のこと。実施例１の潤滑剤（Ｍ＝１７．７３、ＳＤ＝５．５９）を使用した場合、比較潤滑剤（Ｍ＝７．５５、ＳＤ＝２．７０）よりも塗布あたりの火傷数が多かった。この差は統計的に有意であり（ｔ（１４．４２）＝−５．４４、ｐ<０．００１）、実施例１の潤滑剤が１回の塗布で平均１０回の電気焼灼火傷をもたらすことを確認している。
【００８５】
実施例５
潤滑剤製剤
この実施例の潤滑剤は、ＭｅｃｔｒａＬａｂｓから入手可能なＥｌｅｃｔｒｏｌｕｂｅ（登録商標）であった。
【００８６】
実施例６
潤滑剤製剤
以下の成分の潤滑剤用製剤。成分を上記のように以下に記載の量で組み合わせて、潤滑剤を調製した。
９ｇ      食品等級の液体レシチン
０．５ｇ  トリステアリン酸グリセリル
０．５ｇ  メイスエッセンシャルオイル
【００８７】
実施例７
潤滑剤製剤
以下の成分の潤滑剤用製剤。成分を上記のように以下に記載の量で組み合わせて、潤滑剤を調製した。
９ｇ      耐熱性レシチン
０．５ｇ  トリステアリン酸グリセリル
０．５ｇ  メイスエッセンシャルオイル
【００８８】
実施例８
潤滑剤製剤
以下の成分の潤滑剤用製剤。成分を上記のように以下に記載の量で組み合わせて、潤滑剤を調製した。
９．３ｇ  フォーサルレシチン
０．２ｇ  トリステアリン酸グリセリル
０．５ｇ  メイスエッセンシャルオイル
【００８９】
実施例９
潤滑剤製剤
以下の成分の潤滑剤用製剤。成分を上記のように以下に記載の量で組み合わせて、潤滑剤を調製した。
８ｇ      アボカドオイル
０．２ｇ  トコフェロール
０．５ｇ  トリミリスチン
０．５ｇ  水素化ホスファチジルコリン
０．５ｇ  ステアリン酸カルシウム
【００９０】
実施例１０
潤滑剤製剤
以下の成分の潤滑剤用製剤。成分を上記のように以下に記載の量で組み合わせて、潤滑剤を調製した。
８ｇ      アボカド油
０．２ｇ  トコフェロール
０．５ｇ  ステアリン
０．５ｇ  水素化ホスファチジルコリン
０．５ｇ  ステアリン酸カルシウム
【００９１】
実施例１１
潤滑剤製剤
以下の成分の潤滑剤用製剤。成分を上記のように以下に記載の量で組み合わせて、潤滑剤を調製した。
８ｇ        アボカド油
０．２ｇ    トコフェロール
０．３５ｇ  トリミリスチン
０．５ｇ    ステアリン
０．５ｇ    水素化ホスファチジルコリン
０．５ｇ  ステアリン酸カルシウム
【００９２】
実施例１２
潤滑剤製剤
以下の成分の潤滑剤用製剤。成分を上記のように以下に記載の量で組み合わせて、潤滑剤を調製した。
８ｇ      アボカド油
０．２ｇ  トコフェロール
０．５ｇ  セチルアルコール
０．５ｇ  水素化ホスファチジルコリン
０．５ｇ  ステアリン酸カルシウム
【００９３】
実施例１３
潤滑剤製剤
以下の成分の潤滑剤用製剤。成分を上記のように以下に記載の量で組み合わせて、潤滑剤を調製した。
８ｇ      アボカド油
０．２ｇ  トコフェロール
０．５ｇ  ステアリルアルコール
０．５ｇ  水素化ホスファチジルコリン
０．５ｇ  ステアリン酸カルシウム
【００９４】
実施例１４
潤滑剤製剤
以下の成分の潤滑剤用製剤。成分を上記のように以下に記載の量で組み合わせて、潤滑剤を調製した。
８ｇ      アボカド油
０．２ｇ  トコフェロール
０．５ｇ  ステアリン酸
０．５ｇ  水素化ホスファチジルコリン
０．５ｇ  ステアリン酸カルシウム
【００９５】
実施例１５
潤滑剤製剤
以下の成分の潤滑剤用製剤。成分を上記のように以下に記載の量で組み合わせて、潤滑剤を調製した。
８ｇ      アボカド油
０．２ｇ  トコフェロール
０．５ｇ  ステアリン酸
０．５ｇ  ミリスチン酸
０．５ｇ  水素化ホスファチジルコリン
０．５ｇ  ステアリン酸カルシウム
【００９６】
実施例１６
潤滑剤製剤
以下の成分の潤滑剤用製剤。成分を上記のように以下に記載の量で組み合わせて、潤滑剤を調製した。
７．７５ｇ  トリオレイン
０．７５ｇ  ステアリン
１．５ｇ    アルファトコフェロール
【００９７】
実施例１７
潤滑剤製剤
以下の成分の潤滑剤用製剤。成分を上記のように以下に記載の量で組み合わせて、潤滑剤を調製した。
８０％    グレープシード油
８％      トリステアリン酸グリセリル
５％      ステアリン酸カルシウム
５％      水素化ホスファチジルコリン
２％      混合トコフェロール油
【００９８】
実施例１８
潤滑剤製剤
以下の成分の潤滑剤用製剤。成分を上記のように以下に記載の量で組み合わせて、潤滑剤を調製した。
８ｇ      トリオレイン
０．２ｇ  トコフェロール
０．５ｇ  ステアリン
０．５ｇ  水素化ホスファチジルコリン
０．５ｇ  ステアリン酸カルシウム
【００９９】
実施例１９
潤滑剤製剤
実施例５〜１８に記載されている潤滑剤は、実施例４に記載されているように試験された。結果は、図１に示されている。
【０１００】
実施例２０
潤滑剤製剤
潤滑剤用の製剤は、基油、トリステアリン酸塩、および香料を含んでいた。成分は、潤滑剤を調製するために混合することにより、以下に記載される量で組み合わされた。
８７．５％  食品等級の液体レシチン
２．５％    ステアリン
１０％      フレグランスオイル
【０１０１】
液体レシチンを約１５０°Ｆに加熱し、ステアリンを添加する。次に、ステアリンが完全に溶解するまで、混合物をその温度で撹拌する。次に、温度を約１１０°Ｆ（約１２０°Ｆ）に下げ、フレグランスオイルを加えてから室温まで冷却する。
【０１０２】
追加の実施形態
以下の例示的な実施形態が提供され、その番号付けは、重要性のレベルを指定するものとして解釈されるべきではない：
【０１０３】
実施形態１は、潤滑剤用の製剤を提供するものであり、前記製剤は、
式Ｉ
【化１１】
2021523273.tif 000013
の化合物を有する基油であって、
式中、Ｒ１は、Ｈ、Ｃ１−Ｃ６アルキル、Ｃ１−Ｃ６アルケニル、または、Ｃ１−Ｃ６アルキニルであり、ここで、Ｃ１−Ｃ６アルキル、Ｃ１−Ｃ６アルケニル、または、Ｃ１−Ｃ６アルキニルの各水素原子は、独立して、ハロ、ヒドロキシ、アミノ、オキソ、またはＯＲ３で任意に置換されるものであり；Ｒ２は、Ｃ１０−Ｃ２５アルキル、Ｃ１０−Ｃ２５アルケニル、または、Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ７、またはその塩で任意に置換される、基油と、
リン脂質、またはその塩と、
式
【化１２】
2021523273.tif 000014
の塩であって、
式中、Ｍ１は、二価カチオンであり、Ｒ７およびＲ８は、独立して、−ＯＣ（Ｏ）Ｃ１０−Ｃ２５アルキル、−ＯＣ（Ｏ）Ｃ１０−Ｃ２５アルケニル、または、−ＯＣ（Ｏ）Ｃ１０−Ｃ２５アルキニルであり、ここで、Ｃ１０−Ｃ２５アルキル、Ｃ１０−Ｃ２５アルケニル、または、Ｃ１０−Ｃ２５アルキニルの各水素原子は、独立して、ハロ、ヒドロキシ、アミノ、オキソ、またはＯＲ１０で任意に置換されるものであり、
各Ｒ３、Ｒ７およびＲ１０は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルの各水素原子は、独立して、ハロ、ヒドロキシ、または、アミノで任意に置換される、塩と
を有する。
【０１０４】
実施形態２は、実施形態１の製剤またはその塩において、Ｒ１がＨである、の製剤またはその塩を提供する。
【０１０５】
実施形態３は、実施形態１または２の製剤またはその塩において、Ｒ１がＣ１−Ｃ６アルキルであり、Ｃ１−Ｃ６アルキルの各水素原子が独立して、ハロ、ヒドロキシ、アミノ、オキソ、またはＯＲ３で任意に置換される、製剤またはその塩を提供する。
【０１０６】
実施形態４は、先行する実施形態のいずれかの製剤またはその塩において、Ｒ１は、Ｃ１−Ｃ６アルキルであり、Ｃ１−Ｃ６アルキルの各水素原子が独立して、ＯＲ３で任意に置換されるものであり、各Ｒ３は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、または、−Ｃ（Ｏ）Ｃ１０−Ｃ２５アルキニルであり、ここで、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニル、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、および、−Ｃ（Ｏ）Ｃ１０−Ｃ２５アルキニルの各水素原子は、独立して、ハロ、ヒドロキシ、または、アミノで任意に置換される、製剤またはその塩を提供する。
【０１０７】
実施形態５は、先行する実施形態のいずれかの製剤またはその塩において、各Ｒ３は、独立して、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、−Ｃ（Ｏ）Ｃ１−Ｃ６アルキル、−Ｃ（Ｏ）Ｃ１−Ｃ６アルケニル、−Ｃ（Ｏ）Ｃ１−Ｃ６アルキニル、−Ｃ（Ｏ）Ｃ１０−Ｃ２５アルキル、−Ｃ（Ｏ）Ｃ１０−Ｃ２５アルケニル、および、−Ｃ（Ｏ）Ｃ１０−Ｃ２５アルキニルの各水素原子は、独立して、ハロ、ヒドロキシ、または、アミノで任意に置換される、製剤またはその塩を提供する。
【０１０８】
実施形態６は、先行する実施形態のいずれかの製剤またはその塩において、各Ｒ３は、独立して、−Ｃ（Ｏ）Ｃ１０−Ｃ２５アルキル、−Ｃ（Ｏ）Ｃ１０−Ｃ２５アルケニル、−Ｃ（Ｏ）Ｃ１０−Ｃ２５アルキニルであり、−Ｃ（Ｏ）Ｃ１０−Ｃ２５アルキル、−Ｃ（Ｏ）Ｃ１０−Ｃ２５アルケニル、および、−Ｃ（Ｏ）Ｃ１０−Ｃ２５アルキニルの各水素原子は、独立して、ハロ、ヒドロキシ、または、アミノで任意に置換される、製剤またはその塩を提供する。
【０１０９】
実施形態７は、実施形態１の製剤または塩において、Ｒ１は、式ＩＩＩ
【化１３】
2021523273.tif 000015
またはその塩であり、式中、各Ｒ１４およびＲ１５は、独立して、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、または、Ｃ１０−Ｃ２５アルキニルであり、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、または、アミノで任意に置換され、＊は、付着点を示す、製剤を提供する。
【０１１０】
実施形態８は、先行する実施形態のいずれかの製剤またはその塩において、各Ｒ１４およびＲ１５は、Ｃ１０−Ｃ２５アルキル、Ｃ１０−Ｃ２５アルケニル、または、Ｃ１０−Ｃ２５アルキニルであり、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、または、アミノで任意に置換される、製剤またはその塩を提供する。
【０１１１】
実施形態９は、先行する実施形態のいずれかの製剤またはその塩において、各Ｒ１４およびＲ１５は、Ｃ１０−Ｃ２５アルケニル、または、Ｃ１０−Ｃ２５アルキニルであり、Ｃ１０−Ｃ２５アルケニル、および、Ｃ１０−Ｃ２５アルキニルの各水素原子は、独立して、ハロ、ヒドロキシ、または、アミノで任意に置換される、製剤またはその塩を提供する。
【０１１２】
実施形態１０は、先行する実施形態のいずれかの製剤またはその塩において、Ｒ７は、独立して、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニルであり、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、Ｃ１０−Ｃ２５アルキニルの各水素原子は、独立して、ハロ、ヒドロキシ、または、アミノで任意に置換される、製剤またはその塩を提供する。
【０１１３】
実施形態１１は、先行する実施形態のいずれかの製剤またはその塩において、Ｒ７は、独立して、Ｈ、Ｃ１−Ｃ６アルキル、Ｃ１−Ｃ６アルケニル、Ｃ１−Ｃ６アルキニルであり、Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される、製剤またはその塩を提供する。
【０１１４】
実施形態１２は、先行する実施形態のいずれかの製剤またはその塩において、Ｒ２は、Ｃ１０−Ｃ２５アルキル、Ｃ１０−Ｃ２５アルケニル、または、Ｃ１０−Ｃ２５アルキニルであり、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、または、オキソで任意に置換される、製剤またはその塩を提供する。
【０１１５】
実施形態１３は、先行する実施形態のいずれかの製剤において、Ｒ２は、Ｃ１０−Ｃ２５アルキル、または、Ｃ１０−Ｃ２５アルケニルであり、Ｃ１０−Ｃ２５アルキル、および、Ｃ１０−Ｃ２５アルケニルの各水素原子は、独立して、ハロ、ヒドロキシ、アミノ、または、オキソで任意に置換される、製剤を提供する。
【０１１６】
実施形態１４は、先行する実施形態のいずれかの製剤において、Ｒ３は、Ｈ、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、または、Ｃ１０−Ｃ２５アルキニルであり、Ｃ１−Ｃ６アルキル、Ｃ１−Ｃ６アルケニル、Ｃ１−Ｃ６アルキニル、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、または、アミノ、で任意に置換される、製剤を提供する。
【０１１７】
実施形態１５は、先行する実施形態のいずれかの製剤において、Ｒ１０は、Ｈ、Ｃ１−Ｃ６アルキル、Ｃ１−Ｃ６アルケニル、または、Ｃ１−Ｃ６アルキニルであり、Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される、製剤を提供する。
【０１１８】
実施形態１６は、先行する実施形態のいずれかの製剤において、基油が、少なくとも４５０°Ｆ、少なくとも４７５°Ｆ、少なくとも５００°Ｆ、または、少なくとも５１０°Ｆの発煙点を有する、製剤を提供する。
【０１１９】
実施形態１７は、先行する実施形態のいずれかの製剤において、少なくとも基油が、製剤の少なくとも４０重量％である、製剤を提供する。
【０１２０】
実施形態１８は、先行する実施形態のいずれかの製剤において、基油が、製剤の少なくとも５０重量％である、製剤を提供する。
【０１２１】
実施形態１９は、先行する実施形態のいずれかの製剤において、基油が、製剤の少なくとも６０重量％である、製剤を提供する。
【０１２２】
実施形態２０は、先行する実施形態のいずれかの製剤において、基油が、製剤の少なくとも６５重量％である、製剤を提供する。
【０１２３】
実施形態２１は、先行する実施形態のいずれかの製剤において、式Ｉの化合物は、基油の少なくとも２０重量％である、製剤を提供する。
【０１２４】
実施形態２２は、先行する実施形態のいずれかの製剤において、式Ｉの化合物は、基油の少なくとも３０重量％である、製剤を提供する。
【０１２５】
実施形態２３は、先行する実施形態のいずれかの製剤において、式Ｉの化合物は、基油の少なくとも４０重量％である、製剤を提供する。
【０１２６】
実施形態２４は、先行する実施形態のいずれかの製剤において、式Ｉの化合物は、基油の少なくとも５０重量％である、製剤を提供する。
【０１２７】
実施形態２５は、先行する実施形態のいずれかの製剤、リン脂質が式ＩＩの構造、またはその塩を有し、
【化１４】
2021523273.tif 000016
式中、各Ｒ４およびＲ５は、独立して、Ｃ１０−Ｃ２５アルキル、Ｃ１０−Ｃ２５アルケニル、または、Ｃ１０−Ｃ２５アルキニルであり、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、オキソ、またはＯＲ６で任意に置換されるものであり、
Ｒ６は、Ｈ、Ｃ１−Ｃ６アルキル、Ｃ１−Ｃ６アルケニル、または、Ｃ１−Ｃ６アルキニルであり、Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される、製剤を提供する。
【０１２８】
実施形態２６は、実施形態２５の製剤において、各各Ｒ４およびＲ５は、独立して、Ｃ１０−Ｃ２５アルキルである、製剤を提供する。
【０１２９】
実施形態２７は、実施形態２５または２６の製剤において、リン脂質またはその塩はホスファチジルコリンである、製剤を提供する。
【０１３０】
実施形態２８は、実施形態２５〜２７のいずれか１つの製剤において、リン脂質またはその塩は、少なくとも１つのＣ１０−Ｃ２５アルキルを有する、製剤を提供する。
【０１３１】
実施形態２９は、実施形態２５〜２８のいずれか１つの製剤において、リン脂質またはその塩は、Ｃ１０−Ｃ２５アルケニルを実質的に含まない、製剤を提供する。
【０１３２】
実施形態３０は、実施形態２５〜２９のいずれか１つの製剤において、リン脂質またはその塩は、製剤の少なくとも２重量％である、製剤を提供する。
【０１３３】
実施形態３１は、実施形態２５〜３０のいずれか１つの製剤において、リン脂質またはその塩は、製剤の少なくとも３重量％である、製剤を提供する。
【０１３４】
実施形態３２は、実施形態２５〜３１のいずれか１つの製剤において、リン脂質またはその塩は、製剤の１５重量％未満である、製剤を提供する。
【０１３５】
実施形態３３は、実施形態２５〜３２のいずれか１つの製剤において、リン脂質またはその塩は、製剤の１０重量％未満である、製剤を提供する。
【０１３６】
実施形態３４は、実施形態２５〜３３のいずれか１つの製剤において、式ＩＩの塩が製剤の少なくとも２重量％である、製剤を提供する。
【０１３７】
実施形態３５は、実施形態２５〜３４のいずれか１つの製剤において、式ＩＩの塩が製剤の少なくとも３重量％である、製剤を提供する。
【０１３８】
実施形態３６は、実施形態２５〜３５のいずれか１つの製剤において、式ＩＩの塩が製剤の１５重量％未満である、製剤を提供する。
【０１３９】
実施形態３７は、実施形態２５〜３６のいずれか１つの製剤において、式ＩＩの塩が製剤の１０重量％未満である、製剤を提供する。
【０１４０】
実施形態３８は、実施形態２５〜３７のいずれか１つの製剤において、式ＩＩの塩がステアリン酸カルシウムである、製剤を提供する。
【０１４１】
実施形態３９は、実施形態２５〜３８のいずれか１つの製剤であって、さらに、式Ｖ
【化１５】
2021523273.tif 000017
の化合物またはその塩を有し、
式中、各Ｒ１１、Ｒ１２およびＲ１３は、独立して、Ｃ１０−Ｃ２５アルキル、Ｃ１０−Ｃ２５アルケニル、または、Ｃ１０−Ｃ２５アルキニルであり、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、オキソ、またはＯＲ１４で任意に置換されるものであり、
Ｒ１４は、Ｈ、Ｃ１−Ｃ６アルキル、Ｃ１−Ｃ６アルケニル、または、Ｃ１−Ｃ６アルキニルであり、Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される、
製剤を提供する。
【０１４２】
実施形態４０は、実施形態３９の製剤において、各Ｒ１１、Ｒ１２およびＲ１３は、独立して、Ｃ１０−Ｃ２５アルキル、または、Ｃ１０−Ｃ２５アルケニルである、製剤を提供する。
【０１４３】
実施形態４１は、実施形態３９の製剤において、各Ｒ１１、Ｒ１２およびＲ１３は、独立して、Ｃ１０−Ｃ２５アルキルである、製剤を提供する。
【０１４４】
実施形態４２は、実施形態２５〜４１のいずれか１つの製剤において、さらに香料を有する、製剤を提供する。
【０１４５】
実施形態４３は、実施形態４２の製剤において、香料が製剤の最大約１５重量％である、製剤を提供する。
【０１４６】
実施形態４４は、実施形態２５〜４３のいずれか１つの製剤において、さらに少なくとも１つの抗酸化剤を有する、製剤を提供する。
【０１４７】
実施形態４５は、実施形態４４の製剤において、少なくとも１つの抗酸化剤がトコフェロールを有する、製剤を提供する。
【０１４８】
実施形態４６は、実施形態４４の製剤において、少なくとも１つの抗酸化剤が製剤の最大約１０重量％である、製剤を提供する。
【０１４９】
実施形態４７は、実施形態２５〜４６のいずれか１つの製剤において、さらに少なくとも１つの抗炎症剤を有する、製剤を提供する。
【０１５０】
実施形態４８は、実施形態４７の製剤において、少なくとも１つの抗炎症剤がカリオフィレンを有する、製剤を提供する。
【０１５１】
実施形態４９は、実施形態４７の製剤において、少なくとも１つの抗炎症剤が製剤の最大約１０重量％である、製剤を提供する。
【０１５２】
実施形態５０は、実施形態２５〜４９のいずれか１つの製剤であって、着色剤を実質的に含まない製剤を提供する。
【０１５３】
実施形態５１は、先行する実施形態のいずれかの製剤で電気焼灼装置をコーティングする方法を提供し、前記方法は、
電気焼灼装置の表面を、先行する実施形態のいずれかの製剤と接触させる工程
を有する。
【０１５４】
実施形態５２は、実施形態５１の方法において、前記接触させる工程が、電気焼灼装置の一部を製剤の溶液に沈めることによって実行される、方法を提供する。
【０１５５】
実施形態５３は、先行する実施形態のいずれかの製剤を調製する方法を提供するものであり、前記方法は、
基油を加熱する工程と、
前記基油と式Ｖの化合物を混合する工程と、
前記基油とリン脂質を混合する工程と、
を有する、方法を提供する。
【０１５６】
実施形態５４は、実施形態５３の方法において、加熱する工程は、基油を約１２０°Ｆ〜約２２５°Ｆの温度に加熱する工程を有する、方法を提供する。
【０１５７】
実施形態５５は、実施形態５３の方法において、基油を式Ｖの化合物と混合する工程が、基油をリン脂質と混合する工程の前に行われる、方法を提供する。
【０１５８】
実施形態５６は、実施形態５３の方法において、混合する工程は、約１００〜約６００ＲＰＭの速度で撹拌することによって実行される、方法を提供する。
【０１５９】
実施形態５７は、実施形態５３の方法において、前記方法は、少なくとも１つの抗酸化剤、少なくとも１つの抗炎症剤、または両方の混合物を基油と混合して懸濁液を作成する工程を有する、方法を提供する。
【０１６０】
実施形態５８は、実施形態５７の方法であって、さらに、懸濁液を脱気する工程を有する、方法を提供する。
【０１６１】
実施形態５９は、実施形態５８の方法において、脱気する工程は、真空を適用することによって実行される、方法を提供する。
【０１６２】
実施形態６０は、実施形態５７の方法であって、さらに、懸濁液を約１００°Ｆ〜約１５０°Ｆの温度に冷却する工程を有する、方法を提供する。
【０１６３】
実施形態６１は、実施形態６０の方法であって、冷却された懸濁液を香料、少なくとも１つの抗酸化剤、少なくとも１つの抗炎症剤、またはそれらの混合物と混合する工程を有する、方法を提供する。
【０１６４】
実施形態６２は、キットであって、
先行する実施形態のいずれか１つの製剤と、
焼灼プローブと、
を有する、キットを提供する。
【０１６５】
実施形態６３は、焼灼の方法であって、
先行する実施形態のいずれか１つの潤滑剤用の製剤を焼灼プローブに適用する工程と、
前記焼灼プローブで組織を焼灼する工程と、
を有する、方法を提供する。
【０１６６】
実施形態６４は、
基油と、
トリグリセリドと
を有する潤滑剤用の製剤を提供する。
【０１６７】
実施形態６５は、実施形態６４の製剤であって、さらに、香りのある成分をさらに有する、製剤を提供する。
【０１６８】
実施形態６６は、実施形態６４の製剤において、基油がレシチンを有する、製剤を提供する。
【０１６９】
実施形態６７は、実施形態６４の製剤において、トリグリセリドが飽和している、製剤を提供する。
【０１７０】
実施形態６８は、実施形態６７の製剤において、トリグリセリドは式Ｖ
【化１６】
2021523273.tif 000018
の化合物またはその塩を有し、
式中、各Ｒ１１、Ｒ１２およびＲ１３は、独立して、Ｃ１０−Ｃ２５アルキル、Ｃ１０−Ｃ２５アルケニル、または、Ｃ１０−Ｃ２５アルキニルであり、Ｃ１０−Ｃ２５アルキル、Ｃ１０−Ｃ２５アルケニル、および、Ｃ１０−Ｃ２５アルキニルの各水素原子は、独立して、ハロ、ヒドロキシ、アミノ、オキソ、またはＯＲ１４で任意に置換されるものであり、
Ｒ１４は、Ｈ、Ｃ１−Ｃ６アルキル、Ｃ１−Ｃ６アルケニル、または、Ｃ１−Ｃ６アルキニルであり、Ｃ１−Ｃ６アルキル、Ｃ１−Ｃ６アルケニル、および、Ｃ１−Ｃ６アルキニルの各水素原子は、独立して、ハロ、ヒドロキシ、または、アミノで任意に置換される、
製剤を提供する。
【０１７１】
実施形態６９は、実施形態６５の製剤において、基油が植物油である、製剤を提供する。
【０１７２】
本開示は、前述の図面および説明において詳細に例示および説明されているが、同じものは例示的であり、性質を限定するものではないと見なされるべきであり、その例示的な実施形態のみが示され、説明されており、すべてが 開示の精神の範囲内にある変更および修正は保護されることが望まれる。
【図１】
2021523273.tif 000025
【図２】
2021523273.tif 000026
【国際調査報告】
2021523273.tif 000027
2021523273.tif 000028
2021523273.tif 000029